(57)【要約】【課題】、障子を容易に建て込むことが可能な建具等を提供する。【解決手段】上枠及び下枠を備えた枠体、前記下枠が有する下レール上に載置されて移動可能に支持されている障子、及び、前記上枠に取り付けられ、前記下レールに支持されている前記障子と見込み方向における一方側にて対向する対向部と、前記上枠に当接されて前記障子と上下方向において対向する上枠当接部と、前記上枠当接部より下方に突出して前記障子を案内する上レールと、を有する上枠取付部材、を有し、前記障子は、上端から下方に窪み当該障子の面内方向に沿う障子溝部を有し、前記上枠当接部の上下方向における厚みは、上下方向における前記障子の前記上端と、前記上枠において前記障子よりも前記一方側に位置する部位の下端との間隔より薄く、前記上レールの下方への突出量は、前記障子溝部の深さより小さい。【選択図】図２
2020060017.tif 000002
【特許請求の範囲】
【請求項１】
上枠及び下枠を備えた枠体、
前記下枠が有する下レール上に載置されて移動可能に支持されている障子、及び、
前記上枠に取り付けられ、前記下レールに支持されている前記障子と見込み方向における一方側にて対向する対向部と、前記上枠に当接されて前記障子と上下方向において対向する上枠当接部と、前記上枠当接部より下方に突出して前記障子を案内する上レールと、を有する上枠取付部材、
を有し、
前記障子は、上端から下方に窪み当該障子の面内方向に沿う障子溝部を有し、
前記上枠当接部の上下方向における厚みは、上下方向における前記障子の前記上端と、前記上枠において前記障子よりも前記一方側に位置する部位の下端との間隔より薄く、
前記上レールの下方への突出量は、前記障子溝部の深さより小さいことを特徴とする建具。
【請求項２】
請求項１に記載の建具であって、
前記上枠取付部材は、前記上枠の下面に当接した状態で、前記一方側に向かって突出する係止部を有し、
前記上枠は、前記一方側に向かって窪み前記係止部が挿入されて係止される被係止部を有していることを特徴とする建具。
【請求項３】
請求項２に記載の建具の施工方法であって、
前記上枠取付部材が前記上端に載置された前記障子を前記下レール上に載置する障子載置ステップと、
前記上枠取付部材を前記上枠の下面に当接させた後に、前記一方側に移動させて前記係止部を前記被係止部に挿入させて係止する上枠取付部材係止ステップと、
前記上枠取付部材を前記上枠に固定する上枠取付部材固定ステップと、
を有することを特徴とする建具の施工方法。
【発明の詳細な説明】
【技術分野】
【０００１】
本発明は、建具、及び、建具の施工方法に関する。
【背景技術】
【０００２】
従来、引戸障子の下部を案内する下側レールが一体に形成されており、引戸障子の上部を呑み込む障子呑み込み溝部内に設けられ、引戸障子の上部を案内するレールは右側レールと左側レールとの二部材から形成されている。そして、引戸障子を上下枠間に建て込む際には、例えば、上枠から左側のレールを外しておき、引戸障子を持ち上げて室内側より引戸障子の上部を上枠の引戸障子呑み込み溝部の左側レールを取外した範囲内に呑み込ませてから、引戸障子の下部の戸車を下枠の下側レール上に載置する。次に、引戸障子を右側のレール側に移動させ、引戸障子のレール呑み込み溝に右側レールを呑み込ませる。そして、左側レールを上枠に取付けて建込み作業を完了することが知られている(例えば、特許文献１参照)。
【先行技術文献】
【特許文献】
【０００３】
【特許文献１】特開２００５−１４６６４１号公報
【発明の概要】
【発明が解決しようとする課題】
【０００４】
上記従来の建具は、引戸障子を取り付ける際に、左右に分割されている上枠の左側レールを取り外して引戸障子を下側レール上に載置した後に、引戸障子を右側に移動し、左側レールを取り付けているため、作業が繁雑である。また、引戸障子が案内される上枠のレールが分割されているので、左側レールを取り付ける際には、右側レールとより正確に繋げないと滑らかに引戸障子を移動させることができないため、左側レールの取り付けも慎重に行わなければならないという課題がある。
【０００５】
本発明は、かかる課題に鑑みてなされたものであり、その目的とするところは、障子を容易に建て込むことが可能な建具、及び、建具の施工方法を提供することにある。
【課題を解決するための手段】
【０００６】
かかる目的を達成するために本発明の建具は、上枠及び下枠を備えた枠体、前記下枠が有する下レール上に載置されて移動可能に支持されている障子、及び、前記上枠に取り付けられ、前記下レールに支持されている前記障子と見込み方向における一方側にて対向する対向部と、前記上枠に当接されて前記障子と上下方向において対向する上枠当接部と、前記上枠当接部より下方に突出して前記障子を案内する上レールと、を有する上枠取付部材、を有し、前記障子は、上端から下方に窪み当該障子の面内方向に沿う障子溝部を有し、前記上枠当接部の上下方向における厚みは、上下方向における前記障子の前記上端と、前記上枠において前記障子よりも前記一方側に位置する部位の下端との間隔より薄く、前記上レールの下方への突出量は、前記障子溝部の深さより小さいことを特徴とする建具である。
本発明の他の特徴については、本明細書及び添付図面の記載により明らかにする。
【発明の効果】
【０００７】
本発明によれば、障子を容易に建て込むことが可能な建具、及び、建具の施工方法を提供することが可能である。
【図面の簡単な説明】
【０００８】
【図１】本発明の一実施形態の建具を室内側から見た図である。
【図２】本実施形態の建具を示す縦断面図である。
【図３】本実施形態の建具を示す横断面図である。
【図４】図４（ａ）は、上枠取付部材が載置されている障子を下枠上に移動する様子を示す縦断面図であり、図４（ｂ）は、上枠取付部材が載置されている障子が下レール上に載置された状態を示す縦断面図であり、図４（ｃ）は、障子が建て込まれた状態を示す縦断面図である。
【図５】図５（ａ）は、図４（ｂ）の上部を示す拡大図であり、図５（ｂ）は、上枠取付部材を上枠に当接した状態を示す図であり、図５（ｃ）は、上枠取付部材を上枠に係止した状態を示す図であり、図５（ｄ）は、障子が建て込まれた状態を示す図である。
【図６】本実施形態の建具の変形例を示す縦断面図である。
【発明を実施するための形態】
【０００９】
以下、本発明の一実施形態に係る建具及び建具の施工方法について図面を参照して説明する。
本実施形態においては、例えば、図１に示すような片引き窓用の建具（以下、建具という）１を例に挙げて説明する。
【００１０】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１１】
図１に示すように、建具１は、矩形状に枠組みされて建物等の躯体（不図示）に固定される枠体２と、枠体２の内側における右側の領域をＦＩＸガラス３ａにて覆うＦＩＸ窓部３と、枠体２の内側においてＦＩＸ窓部３の左側に形成される開口部を開閉自在に設けられた引戸障子（以下、障子という）４と、を有している。
枠体２は、下枠２１、上枠２２及び左右の縦枠２３、２４が矩形状に接合されている。
【００１２】
図２、図３に示すように、下枠２１には、障子４の下端部が収容される下枠溝部２１ａが、見込み方向における室内側に左右方向の全長に亘って設けられている。下枠溝部２１ａには、障子４に設けられた戸車４ａが載置される下レール２１ｂが設けられている。
【００１３】
上枠２２は、下枠溝部２１ａと対向する部位がほぼ平坦な見込み面をなす２つの上枠下面部２２ａ、２２ｂを有しおり、２つの上枠下面部２２ａ、２２ｂの見込み方向における室内側の縁に各々下方に垂設された垂壁部２２ｃと、垂壁部２２ｃの下端が室外側に突出する上枠突起２２ｄを有する被係止部としての上枠フック部２２ｅ、２２ｆが設けられている。すなわち上枠下面部２２ａ、２２ｂと上枠突起２２ｄとの間には、室内側に窪む上枠凹部２２ｇが設けられている。
【００１４】
上枠２２には、上枠下面部２２ａ、２２ｂに当接される上枠取付部材５が取り付けられている。上枠取付部材５は、上枠下面部２２ａ、２２ｂに当接される上枠当接部５ａ、５ｂと、下方に突出して障子４に挿入される上レール５ｃと、室内側の上枠下面部２２ａの室内側の縁と面一の見付け面を形成する室内側見付け面部５ｄと、を有している。上枠当接部５ａ、５ｂは、見込み方向に間隔を空けて設けられており、２つの上枠当接部５ａ、５ｂは、下方に突出する上レール５ｃによって連結されている。
【００１５】
上レール５ｃは、見込み方向に間隔を空けて対面する一対の上レール壁部５ｅ、５ｆと、一対の上レール壁部５ｅ、５ｆの下端同士を連結する下連結部５ｇと、を有し、室内側の上レール壁部５ｅの上端部が室内側の上枠当接部５ａの室外側の縁と繋がり、室外側の上レール壁部５ｆの上端部が室外側の上枠当接部５ｂの室内側の縁５ｈより僅かに室外側の部位と繋がっている。すなわち、一対の上レール壁部５ｅ、５ｆの間は、上方が開放されて空隙Ｓ１が形成され、室外側の上枠当接部５ｂの室内側の縁５ｈが空隙Ｓ１側に突出している。
【００１６】
また、上枠取付部材５は、室内側の上枠当接部５ａの室内側の縁５ｉより僅かに室外側の部位から下方に延出させた垂設片５ｊを有し、垂設片５ｊの下端が室内側に延出されて延出片５ｋをなし、延出片５ｋの室内側の縁から更に下方に垂設されて室内側見付け面部５ｄが設けられている。すなわち、室内側の上枠当接部５ａの室内側の縁５ｉは、垂設片５ｊよりも室内側に突出しており、室内側見付け面部５ｄの上に空隙が設けられている。
【００１７】
上枠取付部材５は、室外側の上枠当接部５ｂが、室外側の上枠フック部２２ｆよりも室外側にて上枠下面部２２ｂに当接され、室内側の上枠当接部５ａが、上枠２２の２つの上枠フック部２２ｅ、２２ｆ間にて上枠下面部２２ａに当接された状態で、室内側に移動されることにより、室外側の上枠フック部２２ｆの上枠凹部２２ｇに室外側の上枠当接部５ｂの室内側の縁５ｈが挿入され、室内側の上枠フック部２２ｅの上枠凹部２２ｇに室内側の上枠当接部５ａの室内側の縁５ｉが挿入されて上枠２２に係止される。ここで、室外側の上枠当接部５ｂの室内側の縁５ｈの空隙Ｓ１側に突出している部位、及び、室内側の上枠当接部５ａの室内側の縁５ｉが垂設片５ｊよりも室内側に突出している部位が係止部に相当する。
【００１８】
上枠２２に係止された上枠取付部材５は、室外側及び室内側の上枠当接部５ａ、５ｂが、下方から進入するビス６により上枠２２に固定されている。障子４が下レール２１ｂに支持されて上枠取付部材５が上枠２２に固定された状態では、障子４と室内側見付け面部５ｄが見込み方向において対向する。すなわち、室内側見付け面部５ｄが、下レール２１ｂに支持された障子４と室内側にて対向する対向部に相当する。
【００１９】
ＦＩＸ窓部３は矩形状をなすＦＩＸガラス３ａの外周部が、下枠２１と上枠２２とを繋ぐ方立２５と枠体２とにより囲まれた空間に配置され、押縁３ｂにより枠体２及び方立２５に固定されている。
【００２０】
障子４は、同一の押し出し成形材でなる框材が、上框４１、下框４２、戸尻框４３及び戸先框４４をなして矩形状に接合された框体４０と、框体４０に外周端部が収容される引戸ガラス４ｂと、を有している。各框材４１、４２、４３、４４には、外周部の見込み方向における中央部に、内周側に窪む障子溝部としての框溝部４１ａ、４２ａ、４３ａ、４４ａを有している。下框４２の框溝部４２ａには、戸車４ａが設けられ、障子４が建込まれたときには、下レール２１ｂが挿入される。障子４が建込まれた状態では、障子４の上端４ｃから下方に窪ませて面内方向に沿って設けられている框溝部４１ａに上レール５ｃが挿入され、障子４の上端４ｃをなす上框４１の上面は、上枠当接部５ａ、５ｂと上下方向に対向している。
【００２１】
２つの上枠当接部５ａ、５ｂより下方に突出する上レール５ｃの下方への突出量Ｌ１は、上框４１の框溝部４１ａの深さＤより小さく形成されており、上枠取付部材５が上枠２２に取り付けられずに障子４上に載置された場合には、上レール５ｃが框溝部４１ａ内に収容され、障子４の上端４ｃに上枠当接部５ａ、５ｂの下面が当接される。
【００２２】
本実施形態の建具１の施工方法は、枠体２を建物の躯体に固定し、固定された枠体２の内側にＦＩＸ窓部３を取り付けられている状態で、障子４を建て込む。このとき、図４（ａ）に示すように、まず、上枠取付部材５の上レール５ｃを、障子４の上框４１に設けられた框溝部４１ａに挿入した状態で、上枠取付部材５が載置された障子４を、下端側が上端４ｃ側より室外側に位置するように傾けつつ室内側から下枠２１の下レール２１ｂ上に載置する。
【００２３】
このとき、障子４上に載置した上枠取付部材５は、障子４の幅より広いため、障子４は、上枠取付部材５における左右方向のほぼ中央に配置し、より安定した状態としておく。そして、障子４の下框４２を、下枠２１の下枠溝部２１ａ内に挿入しつつ下框４２の框溝部４２ａ内に下レール２１ｂを挿入して、戸車４ａを下レール２１ｂ上に当接させる。
【００２４】
次に、図４（ｂ）に示すように、障子４の上部側を室外側に移動させて、障子４がほぼ鉛直になるように下レール２１ｂ上に載置する（障子載置ステップ）。ここで、室内側が、障子が下レール２１ｂ上に載置される、見込み方向における一方側に相当する。
【００２５】
上枠取付部材５が載置された障子４が下レール２１ｂ上に載置されている状態では図５（ａ）に示すように、上枠取付部材５と上枠２２の上枠フック部２２ｅ、２２ｆの下端、より具体的には、上枠フック部２２ｅ、２２ｆの上枠突起２２ｄの下端とは、上下方向に間隔Ｌ２が空けられている。このため、上枠取付部材５の上枠当接部５ａ、５ｂの上下方向における厚みｔ（図５(ｃ)参照）は、障子４が建て込まれた状態の上下方向において、障子４の上端４ｃと、上枠突起２２ｄの下端との間隔Ｌ３（図５(ｃ)参照）よりも薄く形成されている。ここで、上枠突起２２ｄの下端が、上枠２２において障子４よりも室内側に位置する部位の下端に相当する。
【００２６】
次に、図５（ｂ）に示すように、上枠取付部材５を、上方に持ち上げて、室外側の上枠当接部５ｂを、室外側の上枠フック部２２ｆよりも室外側にて上枠下面部２２ｂに当接し、室内側の上枠当接部５ａを、２つの上枠フック部２２ｅ、２２ｆ間にて室内側の上枠下面部２２ａに当接する。
【００２７】
次に、図５（ｃ）に示すように、室内側及び室外側の上枠当接部５ａ、５ｂが上枠下面部２２ａ、２２ｂに当接している状態で、上枠取付部材５を室内側に移動し、室外側の上枠フック部２２ｆの上枠凹部２２ｇに室外側の上枠当接部５ｂの室内側の縁５ｈを挿入し、室内側の上枠フック部２２ｅの上枠凹部２２ｇに室内側の上枠当接部５ａの室内側の縁５ｉを挿入して上枠取付部材５を上枠２２に係止する（上枠取付部材係止ステップ）。
【００２８】
次に、図４（ｃ）、図５（ｄ）に示すように、障子４を左右方向の一方側に移動して、障子４を移動した一方側と反対側において上枠取付部材５を上枠２２にビス６にて固定する（上枠取付部材固定ステップ）。
【００２９】
次に、障子４を左右方向の他方側に移動して、障子４を移動した他方側と反対側において上枠取付部材５を上枠２２にビス６にて固定して建具１の施工が完了する。
【００３０】
本実施形態の建具１によれば、下レール２１ｂに支持されて、上枠２２に取り付けられずに障子４上に載置されている上枠取付部材５と、上枠２２とは、上下方向に間隔Ｌ２が空けられているので、障子４に上枠取付部材５を載置した状態で、下レール２１ｂ上に障子４を載置することが可能である。このため、重量が大きな障子４を、より早く下レール２１ｂ上に載置することができるので、作業者の負担を軽減することが可能であるとともに、誤って障子４を落下させて損傷することを防止することが可能である。
【００３１】
また、障子４上に載置されている上枠取付部材５を、障子４を下レール２１ｂ上に載置した後に上枠２２に取り付けることができるので、例えば、けんどん式で建て込む場合のように、上枠２２に障子４の上部を深くのみ込ませる空間を設ける必要がない。このため、枠体２の見付け幅を小さくすることが可能である。
【００３２】
また、上枠取付部材５を上枠２２に取り付けた後には、上枠取付部材５の室内側見付け面部５ｄが、障子４と室内側にて対向するので、障子４を確実に案内することができると共に、障子４の室内側への倒れを防止することが可能である。また、障子４と上枠２２との隙間を覆うので、意匠性も向上する。
【００３３】
また、上枠取付部材５は、上框４１の框溝部４１ａに入り込み障子４を案内する上レール５ｃを有しているので、障子４をより確実に案内することができると共に、障子４の室内側への倒れをより確実に防止することが可能である。
【００３４】
また、上枠取付部材５は、上枠２２の上枠下面部２２ａに当接した状態で、室内側に移動させることにより、上枠２２に係止することが可能である。すなわち、上枠取付部材５は、室内側に押圧されることにより、より確実に係止される。このため、上枠取付部材５は上枠２２に固定されていなくとも、障子４の倒れを防止することが可能である。このため、障子４の建て込み時に、上枠取付部材５を上枠２２に係止するだけで、下レール２１ｂ上に載置した障子４の倒れを防止することが可能である。このため、より施工性に優れている。
【００３５】
本実施形態の建具１の施工方法によれば、障子４に上枠取付部材５を載置した状態で、下レール２１ｂ上に障子４を載置するので、重量が大きな障子４を、より早く下レール２１ｂ上に載置することができる。このため、作業者の負担を軽減することが可能であるとともに、誤って障子４を落下させて損傷することを防止することが可能である。
【００３６】
また、障子４上に載置されている上枠取付部材５を、障子４を下レール２１ｂ上に載置した後に上枠２２に取り付けるだけで、上枠取付部材５の室内側見付け面部５ｄが、障子４と室内側にて対向して、障子４の室内側への倒れが防止されるので、障子４を容易に建込むことがかのうである。
【００３７】
上記実施形態においては、上枠取付部材５が上レール５ｃを有している例について説明したが、上枠取付部材５は必ずしも上レール５ｃを有していなくとも構わない。例えば、図６に示すように、上レールを有していない上枠取付部材５が上枠２２に取り付けられて、上枠２２と上枠取付部材５の室内側見付け面部５ｄとにより形成され、上方に窪む上枠側溝部２２ｈに、上框４１が挿入されている形態であっても構わない。
また、上記実施形態においては、片引き窓用の建具１を例に挙げて説明したが、これに限らず、引戸障子を備えた建具であれば構わない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３９】
本実施形態には、少なくとも以下の発明が含まれる。
上枠及び下枠を備えた枠体、前記下枠が有する下レール上に載置されて移動可能に支持されている障子、及び、前記上枠に取り付けられ、前記下レールに支持されている前記障子と見込み方向における一方側にて対向する対向部と、前記上枠に当接されて前記障子と上下方向において対向する上枠当接部と、前記上枠当接部より下方に突出して前記障子を案内する上レールと、を有する上枠取付部材、を有し、前記障子は、上端から下方に窪み当該障子の面内方向に沿う障子溝部を有し、前記上枠当接部の上下方向における厚みは、上下方向における前記障子の前記上端と、前記上枠において前記障子よりも前記一方側に位置する部位の下端との間隔より薄く、前記上レールの下方への突出量は、前記障子溝部の深さより小さいことを特徴とする建具である。
【００４０】
このような建具によれば、上枠当接部より下方に突出する上レールの下方への突出量は、障子溝部の深さより小さいので、上枠に取り付けられていない上枠取付部材を障子上に載置すると、障子の上端に上枠当接部を当接させることが可能である。また、上枠に当接されて障子と上下方向において対向する上枠当接部の厚みは、上下方向における障子の上端と、上枠において障子よりも一方側に位置する部位の下端との間隔より薄いので、下レール上に載置された障子上に上枠取付部材を載置した状態で、一方側から障子を枠体に建て込むこと、或いは、枠体から取り外すことが可能である。このため、例えば、けんどん式で建て込む場合のように、上枠に障子の上部を深くのみ込ませる空間を設ける必要がない。このため、枠体の見付け幅を小さくしすることが可能である。また、上枠取付部材を上枠に取り付けた後には、上枠取付部材の対向部が、障子と一方側にて対向するので、障子を確実に案内することができると共に、障子の一方側への倒れを防止することが可能である。
【００４１】
また、障子上に上枠当接部を載置した状態で、一方側から障子を下レール上に載置して枠体に建て込むことが可能なので、障子に上枠取付部材を載置した状態で、下レール上に障子を載置することが可能である。このため、重量が大きな障子を、より早く下レール上に載置することができるので、作業者の負担を軽減することが可能である。また、障子と上枠との隙間を覆うので、意匠性も向上する。
【００４２】
かかる建具であって、前記障子の上端には下方に窪み当該障子の面内方向に沿う障子溝部を有し、前記上枠取付部材は、前記上枠に取り付けられ、前記障子が前記下レールに支持された状態で、前記障子溝部に入り込み当該障子を案内する上レールを有していることを特徴とする。
【００４３】
このような建具によれば、上枠取付部材は、障子溝部に入り込み障子を案内する上レールを有しているので、障子をより確実に案内することができると共に、障子の一方側への倒れをより確実に防止することが可能である。
【００４４】
かかる建具であって、前記上枠取付部材は、前記上枠の下面に当接した状態で、前記一方側に向かって突出する係止部を有し、前記上枠は、前記一方側に向かって窪み前記係止部が挿入されて係止される被係止部を有していることを特徴とする。
【００４５】
このような建具によれば、上枠取付部材は、上枠の下面に当接した状態で、一方側に移動させることにより、上枠に係止することが可能である。すなわち、上枠取付部材は、一方側に押圧されることにより、より確実に係止される。このため、上枠取付部材は上枠に固定されていなくとも、障子の倒れを防止することが可能である。このため、障子の建て込み時に、上枠取付部材を上枠に係止するだけで、下レール上に載置した障子の倒れを防止することが可能である。このため、より施工性に優れている。
【００４６】
また、上記建具の施工方法であって、前記上枠取付部材が前記上端に載置された前記障子を前記下レール上に載置する障子載置ステップと、前記上枠取付部材を前記上枠の下面に当接させた後に、前記一方側に移動させて前記係止部を前記被係止部に挿入させて係止する上枠取付部材係止ステップと、前記上枠取付部材を前記上枠に固定する上枠取付部材固定ステップと、を有することを特徴とする建具の施工方法である。
【００４７】
このような建具の施工方法によれば、障子に上枠取付部材を載置した状態で、下レール上に障子を載置するので、重量が大きな障子を、より早く下レール上に載置することができる。このため、作業者の負担を軽減することが可能である。また、障子上に載置されている上枠取付部材を、障子を下レール上に載置した後に上枠に取り付けるだけで、上枠取付部材の対向部が、障子と一方側にて対向させて、障子の一方側への倒れを防止することが可能である。
【符号の説明】
【００４８】
１  建具、２  枠体、４  障子、５ｃ  上レール、５ｈ  上枠当接部の室内側の縁、
５ｉ  上枠当接部の室内側の縁、２１  下枠２１ｂ  下レール、２２  上枠、
２２ａ  上枠下面部、２２ｂ  上枠下面部、２２ｅ  上枠フック部、
２２ｆ  上枠フック部、４１ａ  框溝部、
Ｄ  上框の框溝部の深さ、Ｌ１  上レールの突出量、Ｌ２  上枠取付部材と上枠と間隔、Ｌ３  障子の上端と上枠突起の下端との間隔、ｔ  上枠当接部の厚み、
【図１】
2020060017.tif 000003
【図２】
2020060017.tif 000004
【図３】
2020060017.tif 000005
【図４】
2020060017.tif 000006
【図５】
2020060017.tif 000007
【図６】
2020060017.tif 000008